(57)【要約】【課題】ラベルに静電気が発生してもこれを除電できるようにし、静電気の悪影響によってラベルの貼付ができなくなる事態、及び、貼付不良が生じてしまう事態を防止できるようにする。【解決手段】物品Ｗを搬送するコンベア１と、コンベア１の上流側に設けられ物品ＷにラベルＬの一部分を貼付する上流貼付部１０と、コンベア１の下流側に設けられ物品ＷにラベルＬの他の部分を折曲して貼付する下流貼付部２０と、物品Ｗの搬送過程でラベルＬにイオン化した空気を吹き付けるイオン化空気吹き付け部３０とを備えた。ラベルＬにイオン化した空気を吹き付けるので、ラベルＬが帯電しても帯電された静電気が除電され、静電気の悪影響が防止される。【選択図】    図１
2004149134.tif 000002
【特許請求の範囲】
【請求項１】
物品を搬送するとともに、搬送上流側で該物品にラベルの一部分を貼付し、搬送下流側で該物品に上記ラベルの他の部分を折曲して貼付するラベルの貼付方法において、
上記物品の搬送過程で、上記ラベルにイオン化した空気を吹き付けることを特徴とするラベルの貼付方法。
【請求項２】
上記ラベルの裏面側からイオン化した空気を吹き付けることを特徴とする請求項１記載のラベルの貼付方法。
【請求項３】
物品を搬送するコンベアと、該コンベアの上流側に設けられ該物品にラベルの一部分を貼付する上流貼付部と、上記コンベアの下流側に設けられ該物品にラベルの他の部分を折曲して貼付する下流貼付部とを備えたラベルの貼付装置において、
上記物品の搬送過程で上記ラベルにイオン化した空気を吹き付けるイオン化空気吹き付け部を備えたことを特徴とするラベルの貼付装置。
【請求項４】
上記イオン化空気吹き付け部を、空気をイオン化するイオン発生器と、該イオン発生器でイオン化された空気を上記ラベルに向けて吹き付ける吹き付け口を有した吹き付けノズル体とを備えて構成したことを特徴とする請求項３記載のラベルの貼付装置。
【請求項５】
上記吹き付けノズル体を、上記ラベルの裏面側からイオン化した空気を吹き付けるように配置したことを特徴とする請求項４記載のラベルの貼付装置。
【請求項６】
上記吹き付けノズル体を、上記コンベアの搬送方向に沿って複数の吹き付け口が列設されたパイプで構成したことを特徴とする請求項４または５記載のラベルの貼付装置。
【請求項７】
上記吹き付けノズル体を、プラズマコーティングしたことを特徴とする請求項６記載のラベルの貼付装置。
【発明の詳細な説明】
【０００１】
【発明の属する技術分野】
本発明は、ラベルの貼付装置に係り、特に、物品の隣り合う複数の面にラベルを折り曲げて貼付するラベルの貼付方法及びラベルの貼付装置に関する。
【０００２】
【従来の技術】
一般に、図３に示すように、例えば種々の容器などの略直方体状に形成された物品Ｗに見られるように、物品Ｗの隣り合う複数の面に商品表示や価格表示などを行なうためのラベルＬを折り曲げて貼付することが行なわれている。
【０００３】
従来、この種の物品にラベルを貼付するラベルの貼付方法としては、例えば、特開２０００−２０３５４５号公報（特許文献１）記載のものが知られている。この貼付方法は、略直方体状に形成された物品Ｗをコンベア（図示せず）で搬送し、搬送上流側で裏面に糊付けしたラベルＬの一部分を物品Ｗの一面にローラ（図示せず）で貼付し、搬送下流側で物品の他の面にラベルの他の部分をローラ（図示せず）で折曲して貼付するものである。
【０００４】
【特許文献１】
特開２０００−２０３５４５号公報
【０００５】
【発明が解決しようとする課題】
ところで、この従来のラベルの貼付方法においては、物品ＷにラベルＬの一部分が貼付することで、物品Ｗの搬送される際に、ラベルＬの他の部分が大気中に延びて晒されており、また、ラベルＬはシート状なので帯電しやすく、そのため、静電気によってラベルＬの他の部分が、物品自体あるいはコンベアなどの他の機器に引っ張られて姿勢が不安定となり、物品の予定外の部位やコンベアなどの機器に付着し、実質的にラベルの貼付ができない場合や、貼付ができても、正規の位置に貼付されない場合や、シワが生じて貼付される場合があるという問題があった。
【０００６】
本発明は上記の問題点に鑑みて為されたもので、ラベルに静電気が発生してもこれを除電できるようにし、静電気の悪影響によってラベルの貼付ができない事態や、貼付不良が生じてしまう事態を防止できるようにしたラベルの貼付方法及びラベルの貼付装置を提供することを目的とする。
【０００７】
【課題を解決するための手段】
このような目的を達成するための本発明のラベルの貼付方法は、物品を搬送するとともに、搬送上流側で該物品にラベルの一部分を貼付し、搬送下流側で該物品に上記ラベルの他の部分を折曲して貼付するラベルの貼付方法において、上記物品の搬送過程で、上記ラベルにイオン化した空気を吹き付ける構成としている。
【０００８】
これにより、物品の搬送過程で、ラベルにイオン化した空気を吹き付けるので、このイオン化された空気によって、ラベルが帯電しても帯電された静電気が除電され、そのため、ラベルには静電気がほとんどなくなることになり、ラベルが、物品の予定外の部位やコンベアなどの他の機器に付着する事態が防止される。このため、搬送下流側で物品にラベルの他の部分を折曲して貼付する際、ラベルの姿勢の異常がなくなることから、ラベルを正規の位置に貼り付けることができ、また、シワが生じて貼付される事態も防止される。
【０００９】
また、必要に応じ、上記ラベルの裏面側からイオン化した空気を吹き付ける構成としている。ラベルの裏面側から吹き付けるので、吹き付け力によってラベルの裏面が物品や機器に近づきにくくなり、この点でも、ラベルが、物品の予定外の部位やコンベアなどの機器に付着する事態が防止される。
【００１０】
また、上記の目的を達成するための本発明のラベルの貼付装置は、物品を搬送するコンベアと、該コンベアの上流側に設けられ該物品にラベルの一部分を貼付する上流貼付部と、上記コンベアの下流側に設けられ該物品にラベルの他の部分を折曲して貼付する下流貼付部とを備えたラベルの貼付装置において、上記物品の搬送過程で上記ラベルにイオン化した空気を吹き付けるイオン化空気吹き付け部を備えた構成としている。
【００１１】
これにより、物品の搬送過程で、ラベルにイオン化した空気を吹き付けるので、このイオン化された空気によって、ラベルが帯電しても帯電された静電気が除電され、そのため、ラベルには静電気がほとんどなくなることになり、ラベルが、物品の予定外の部位やコンベアなどの他の機器に付着する事態が防止される。このため、搬送下流側で物品にラベルの他の部分を折曲して貼付する際、ラベルの姿勢の異常がなくなることから、ラベルを正規の位置に貼り付けることができ、また、シワが生じて貼付される事態も防止される。
【００１２】
そして、必要に応じ、上記イオン化空気吹き付け部を、空気をイオン化するイオン発生器と、該イオン発生器でイオン化された空気を上記ラベルに向けて吹き付ける吹き付け口を有した吹き付けノズル体とを備えて構成している。吹き付けノズル体を用いるので、ラベルに対する吹き付け方向などの設定が容易になる。
【００１３】
また、必要に応じ、上記吹き付けノズル体を、上記ラベルの裏面側からイオン化した空気を吹き付けるように配置した構成としている。ラベルの裏面側から吹き付けるので、吹き付け力によってラベルの裏面が物品や機器に近づきにくくなり、この点でも、ラベルが、物品の予定外の部位やコンベアなどの機器に付着する事態が防止される。
【００１４】
更に、必要に応じ、上記吹き付けノズル体を、上記コンベアの搬送方向に沿って複数の吹き付け口が列設されたパイプで構成している。パイプ一つで搬送方向に沿ってイオン化された空気を噴出することができるので、構造を簡単にして取り付けも容易にすることができる。
更にまた、必要に応じ、上記吹き付けノズル体を、プラズマコーティングした構成としている。パイプ自体を帯電しにくくすることができ、吹き付けノズル体のラベルに対する静電気の悪影響を低減することができる。
【００１５】
【発明の実施の形態】
以下、添付図面に基づいて、本発明の実施の形態に係るラベルの貼付方法及びラベルの貼付装置について詳細に説明する。ラベルの貼付方法はラベルの貼付装置によって実現されるので、ラベルの貼付装置の作用で説明する。
【００１６】
図１及び図２には、本発明の実施の形態に係るラベルの貼付装置Ｓを示している。実施の形態では、ラベルの貼付装置Ｓが取り扱う物品Ｗは、例えば種々の容器などの物品Ｗであって略直方体状に形成されている。ラベルＬは糊付けした裏面の中間部分が物品Ｗの一面に貼付され、両側部分が物品Ｗの一面に隣接する他の２つの他面に折曲げられて貼付される。
【００１７】
図１に示すように、実施の形態に係るラベルの貼付装置Ｓの基本的構成は、物品Ｗを搬送するコンベア１と、コンベア１の上流側に設けられ物品ＷにラベルＬの一部分（中間部分）を貼付する上流貼付部１０と、コンベア１の下流側に設けられ物品ＷにラベルＬの他の部分（両側部分）を折曲して貼付する下流貼付部２０と、物品Ｗの搬送過程でラベルＬにイオン化した空気を吹き付けるイオン化空気吹き付け部３０とを備えている。
【００１８】
コンベア１は、前位及び後位の一対のコンベア１Ａ，１Ｂからなり、前位のコンベア１Ａの後端に、搬送方向を直角に転向する後位のコンベア１Ｂが連設されている。各コンベア１は、ベルトコンベアで構成され、循環駆動されるベルト２と、ベルト２の進行方向両側に設けられたガイド部３とを備えている。４は脚部である。
【００１９】
前位のコンベア１Ａにおいて、物品Ｗの一面側のガイド部３は物品Ｗがスライド可能な支持レール５として構成されている。そして、前位のコンベア１Ａは物品Ｗをその一面が支持レール５よりも側方に突出されるようして、支持レール５及びベルト２上に載置して搬送する。
【００２０】
６は前位のコンベア１Ａの後端で、物品Ｗをコンベア１Ｂに移載する例えばエアシリンダ装置からなる移載機構である。
７は前位のコンベア１Ａの後端に搬送された物品Ｗの落下を防止するためのストッパである。
【００２１】
上流貼付部１０は、ラベル貼付位置で物品Ｗを位置決めする位置決め機構部１１を備えている。位置決め機構部１１は、コンベア１の上方に設けられ、エアシリンダなどの駆動機構（図示せず）によって進退可能に設けられ、進出時に物品Ｗの進行方向前位に位置して物品Ｗを停止させるストッパ１２と、同様にエアシリンダなどの駆動機構（図示せず）によって進退可能に設けられ、進出時に物品Ｗを支持レール５に押圧して停止位置決めする押圧体１３とを備えている。
【００２２】
また、上流貼付部１０は、位置決め機構部１１で位置決めされた物品Ｗの突出する一面側であって、前位のコンベア１Ａの側方に設けられ、ラベルＬの両側部を上下方向に位置させ位置決めされた物品Ｗの一面にラベルＬの中間部分を押圧して貼付する貼付機構部１５を備えている。貼付機構部１５は、ラベルＬを吸引する吸引体１６と、吸引体１６を物品に対して進退動させ進出時にラベルＬを吸引体１６により押圧するエアシリンダ等の駆動機構１７を備えている。１８は吸引体１６の物品Ｗに対する押圧時に衝撃を吸収するショックアブソーバである。
【００２３】
下流貼付部２０は、前位のコンベア１Ａと後位のコンベア１Ｂとの間に設けられ、移載機構６によって、転向されて移載されてくる物品Ｗの一面に隣接する２つの他面に転動する一対のローラ２１を備えており、このローラ２１によって、ラベルＬの両側部分を折曲して物品Ｗに貼付する。
【００２４】
イオン化空気吹き付け部３０は、空気をイオン化するイオン発生器３１と、イオン発生器３１でイオン化された空気をラベルＬに向けて吹き付ける吹き付け口３２を有した吹き付けノズル体３３とを備えて構成されている。３４はイオン発生器３１からのイオン化された空気を吹き付けノズル体３３に送給する送給管である。
【００２５】
吹き付けノズル体３３は、前位のコンベア１Ａの搬送方向に沿って複数の吹き付け口３２が列設されたパイプで構成されている。吹き付けノズル体３３は、ラベルＬの両側部分の内、下側部分に対峙するように、コンベア１の脚部４に固定されている。複数の吹き付け口３２は、ラベルＬの糊付けした裏面に向けてイオン化された空気を吹き出す。
この場合、吹き付けノズル体３３は、パイプで構成されているので、構造を簡単にして取り付けも容易にすることができる。
【００２６】
また、吹き付けノズル体３３は、所謂プラズマコーティングされている。このプラズマコーティングは、溶射方法で各種金属やセラミックスを溶着させてその溶射皮膚を下地として上にフッ素樹脂や各種ポリマーをコーティングして複合皮膚を形成したものである。
【００２７】
従って、この実施の形態に係るラベルの貼付装置Ｓによって物品ＷにラベルＬを貼付するときは、以下のようになる。
図１に示すように、コンベア１には、所要間隔で順次物品Ｗが搬送されてくる。そして、上流貼付部１０のラベルＬの貼付位置に至ると、位置決め機構部１１のストッパ１２及び押圧体１３が進出し、物品Ｗを停止させるとともに、物品Ｗを支持レール５に押圧して停止位置決めする。
その後、前位のコンベア１Ａは搬送を停止する。
【００２８】
次に、上流貼付部１０の貼付機構部１５が作動し、ラベルＬを吸引した吸引体１６が進出して、位置決め機構部１１で位置決めされた物品Ｗの突出する一面に、ラベルＬの中間部分を押圧して貼付する。
それから、貼付機構部１５の吸引体１６の吸引が解除されるとともに吸引体１６が後退させられる。また、位置決め機構部１１のストッパ１２及び押圧体１３が後退し、再び、前位のコンベア１Ａが動作し、物品Ｗがコンベア１によって搬送される。
【００２９】
この場合、物品Ｗが搬送される際に、物品ＷにラベルＬの一部分が貼付されることで、ラベルＬの両端側部分が支持された状態となり、大気中に延びて晒されており、また、ラベルＬはシート状なので帯電しやすく、そのため、静電気によってラベルＬの両端部分が、物品Ｗ自体あるいはコンベア１などの他の機器に引っ張られようとするが、イオン化空気吹き付け部３０の吹き付けノズル体３３からは、ラベルＬの下側部分に向けてイオン化された空気が吹き出されているので、このイオン化された空気によって、帯電された静電気が除電される。そのため、ラベルＬには静電気がほとんどなくなるので、ラベルＬが、物品Ｗの予定外の部位やコンベア１などの機器に付着する事態が防止される。
また、ラベルＬの裏面方向から吹き付けるので、裏面が物品Ｗや機器に近づきにくくなり、この点でも、ラベルＬが、物品Ｗの予定外の部位やコンベア１などの機器に付着する事態が防止される。
【００３０】
尚、この場合、イオン化された空気は、ラベルＬの両側部分の内、下側部分に吹き付けられるが、ある程度上側部分にも回りこむので、ラベルＬ全体の除電が行なわれる。仮に、上側部分の除電が少なくても、上側部分は下側部分に比較して、コンベア１などの他の機器がないので、影響はほとんどない。また、イオン化された空気は、コンベア１や物品Ｗにもある程度当たるので、このコンベア１や物品Ｗ自体の除電も行なわれ、それだけ、静電気による悪影響が軽減される。
【００３１】
また、吹き付けノズル体３３は、所謂プラズマコーティングされているので、このパイプ自体が帯電しにくくなっており、この点でも、ラベルＬに対する静電気の悪影響が低減される。
【００３２】
図１に示すように、物品Ｗが、前位のコンベア１Ａの後端にいたると、物品Ｗがストッパ７に当接し移載機構６が作動して、物品Ｗが押し出され、後位のコンベア１Ｂに移載されて搬送方向が９０度転向される。また、この移載途中において、物品Ｗは、下流貼付部２０の一対のローラ２１間を通る。そのため、このローラ２１によって、ラベルＬの両側部分が折曲され、物品Ｗの一面に隣接する２つの他面にローラ２１が転動するので、この隣接する２つの他面にラベルＬの両側部分が貼付される。
【００３３】
この場合、ラベルＬは、イオン化空気吹き付け部３０のイオン化された空気によって、帯電された静電気が除電されているので、ラベルＬには静電気がほとんどなく、ラベルＬが、物品Ｗの予定外の部位に付着したり、姿勢が悪くなる事態がほとんどなく、そのため、ラベルＬは正規の位置に貼り付けられる。また、シワが生じて貼付されてしまう事態も防止される。
【００３４】
尚、上記実施の形態において、吹き付けノズル体３３を、コンベア１の搬送方向に沿って複数の吹き付け口３２が列設されたパイプで構成したが、必ずしもこれに限定されるものではなく、吹き付け口３２が１つの単独のノズルを多数列設するようにしてもよく、適宜変更して差支えない。然しながら、構造を簡単にして取り付けも容易にするためにはパイプにすることが望ましい。
また、上記実施の形態では、イオン化された空気をラベルＬの下側部分に吹き付けるようにしたが、必ずしもこれに限定されるものではなく、上側部分にも吹き付けるようにしてもよく、適宜変更して差支えない。
【００３５】
【発明の効果】
以上説明したように、本発明のラベルの貼付方法及びラベルの貼付装置によれば、物品の搬送過程で、上記ラベルにイオン化した空気を吹き付けるので、このイオン化された空気によって、ラベルが帯電しても帯電された静電気が除電され、そのため、ラベルには静電気がほとんどなくなることになり、ラベルが、物品の予定外の部位やコンベアなどの他の機器に付着する事態を防止することができる。また、ラベルの姿勢の異常がなくなることから、ラベルを正規の位置に貼り付けることができ、また、シワが生じて貼付されてしまう事態も防止することができ、貼付精度を向上させることができる。
【００３６】
また、ラベルの裏面側からイオン化した空気を吹き付ける場合には、吹き付け力によってラベルの裏面が物品や機器に近づきにくくなり、この点でも、ラベルが、物品の予定外の部位やコンベアなどの機器に付着する事態を防止することができる。
【００３７】
そしてまた、ラベルの貼付装置において、イオン化空気吹き付け部を、空気をイオン化するイオン発生器と、イオン発生器でイオン化された空気をラベルに向けて吹き付ける吹き付け口を有した吹き付けノズル体とを備えて構成した場合には、吹き付けノズル体を用いるので、ラベルに対する吹き付け方向などの設定が容易になる。
【００３８】
更に、吹き付けノズル体を、コンベアの搬送方向に沿って複数の吹き付け口が列設されたパイプで構成した場合には、パイプ一つで搬送方向に沿ってイオン化された空気を噴出することができるので、構造を簡単にして取り付けも容易にすることができる。
【００３９】
また、吹き付けノズル体を、プラズマコーティングした場合には、パイプ自体を帯電しにくくすることができ、吹き付けノズル体のラベルに対する静電気の悪影響を低減することができる。
【図面の簡単な説明】
【図１】本発明の実施の形態に係るラベルの貼付装置を示す斜視図である。
【図２】本発明の実施の形態に係るラベルの貼付装置を示す要部断面図である。
【図３】従来からあるラベルの貼付方法の一例を示す図である。
【符号の説明】
Ｓ  ラベルの貼付装置
Ｗ  物品
Ｌ  ラベル
１  コンベア
１Ａ  前位のコンベア
１Ｂ  後位のコンベア
２  ベルト
３  ガイド部
４  脚部
５  支持レール
６  移載機構
７  ストッパ
１０  上流貼付部
１１  位置決め機構部
１２  ストッパ
１３  押圧体
１５  貼付機構部
１６  吸引体
１７  駆動機構
１８  ショックアブソーバ
２０  下流貼付部
２１  ローラ
３０  イオン化空気吹き付け部
３１  イオン発生器
３２  吹き付け口
３３  吹き付けノズル体
３４  送給管
【図１】
2004149134.tif 000003
【図２】
2004149134.tif 000004
【図３】
2004149134.tif 000005